【手続補正書】
【提出日】平成23年8月9日(2011.8.9)
【手続補正１】
【補正対象書類名】特許請求の範囲
【補正対象項目名】全文
【補正方法】変更
【補正の内容】
【特許請求の範囲】
【請求項１】
複数の利用者が電子情報を閲覧する順番を定めた順番情報と、閲覧する順番となっている利用者を示す作業者識別情報とを記憶した順番情報記憶手段と、電子情報に対する文字列情報を記憶した文字列情報記憶手段と、にアクセスが可能なコンピュータに、
電子情報に対する文字列情報の入力を受け付ける記入領域と、電子情報に対する利用者の判断の入力を受け付ける判断指示部と、前記文字列情報記憶手段に記憶された電子情報に対する文字列情報を表示させる表示領域とを含む表示用情報を生成する表示用情報生成機能、
前記作業者識別情報に示された利用者からの要求に応じて、前記表示用情報生成機能により生成された表示用情報を該要求の要求元に出力する表示用情報出力機能、
前記表示用情報出力機能により前記要求元に出力された表示用情報の前記判断指示部を介して前記判断の入力を受け付けたときに処理を開始する機能であって、前記順番情報に基づいて、前記作業者識別情報を次の順番の利用者に更新する更新機能、
前記表示用情報出力機能により前記要求元に出力された表示用情報の前記判断指示部を介して前記判断の入力の受け付けに応じて、前記記入領域を介して入力を受け付けた前記文字列情報を前記文字列情報記憶手段に登録する文字列情報登録機能、
を実現させるための電子情報回覧プログラム。
【請求項２】
請求項１記載の電子情報回覧プログラムにおいて、
前記記入領域を介して入力を受け付けた前記文字列情報がどの利用者宛ての文字列情報であるのかを、前記順番情報及び前記要求元の利用者識別情報に基づいて特定する特定機能
を前記コンピュータにさらに実現させ、
前記文字列情報登録機能は、前記記入領域を介して入力を受け付けた前記文字列情報を、当該文字列情報の記入者である前記要求元の利用者を示す利用者識別情報と、当該文字列情報の宛先である前記特定機能により特定された利用者を示す利用者識別情報とに対応付けて前記文字列情報記憶手段に登録することを特徴とする電子情報回覧プログラム。
【請求項３】
請求項２記載の電子情報回覧プログラムにおいて、
前記作業者識別情報に示された利用者からの、第１の利用者識別情報及び第２の利用者識別情報を含んだ検索要求に応じて、前記文字列情報記憶手段に記憶された、電子情報に対応する文字列情報のうち、当該文字列情報の記入者を示す利用者情報が当該第１の利用者識別情報と一致し、且つ、当該文字列情報の宛先を示す利用者情報が当該第２の利用者識別と一致する文字列情報を検索する検索機能
を前記コンピュータにさらに実現させ、
前記表示用情報生成機能は、前記表示領域に前記検索機能が検索した結果の文字列情報を表示させるように前記表示用情報を生成することを特徴とする電子情報回覧プログラム。
【請求項４】
請求項１から３のいずれか一項に記載の電子情報管理プログラムにおいて、
前記判断指示部は、前記順番情報に示される順番における前の順番に該当する利用者に順番を戻す差し戻しの判断の入力を受け付ける差し戻し指示部を含み、
前記更新機能は、前記表示用情報出力機能により前記要求元に出力された表示用情報の前記判断指示部を介して前記差し戻しの入力を受け付けたとき、前記作業者識別情報を前記順番情報に示される順番における前の順番に該当する利用者に更新することを特徴とする電子情報回覧プログラム。
【請求項５】
複数の利用者が電子情報を閲覧する順番を定めた順番情報と、閲覧する順番となっている利用者を示す作業者識別情報とを記憶した順番情報記憶手段と、
電子情報に対する文字列情報を記憶した文字列情報記憶手段と、
電子情報に対する文字列情報の入力を受け付ける記入領域と、電子情報に対する利用者の判断の入力を受け付ける判断指示部と、前記文字列情報記憶手段に記憶された電子情報に対する文字列情報を表示させる表示領域とを含む表示用情報を生成する表示用情報生成手段と、
前記作業者識別情報に示された利用者からの要求に応じて、前記表示用情報生成手段により生成された表示用情報を該要求の要求元に出力する表示用情報出力手段と、
前記表示用情報出力手段により前記要求元に出力された表示用情報の前記判断指示部を介して前記判断の入力を受け付けたときに処理を開始する手段であって、前記順番情報に基づいて、前記作業者識別情報を次の順番の利用者に更新する更新手段と、
前記表示用情報出力手段により前記要求元に出力された表示用情報の前記判断指示部を介して前記判断の入力の受け付けに応じて、前記記入領域を介して入力を受け付けた前記文字列情報を前記文字列情報記憶手段に登録する文字列情報登録手段と、
を有することを特徴とする電子情報回覧装置。
【請求項６】
コンピュータに、
回覧対象の電子情報を登録する登録機能、
複数の利用者が前記電子情報を閲覧する順番を表す順番情報と、該順番情報に対応づけて利用者とを指定する指定機能、
前記登録機能と前記指定機能を実現した後に、回覧処理の開始を受け付ける回覧処理開始機能、
閲覧する順番がまわってきた利用者からの前記電子情報に対する文字列情報の入力と、前記電子情報に対する利用者の判断の入力とを受け付ける受付機能、
前記複数の利用者が文字列情報の入力を行った順番で、入力された前記電子情報に対する文字列情報と、前記電子情報に対する利用者の判断と、該入力を行った利用者と、該入力を行った日時とを対応づけて表示する表示機能、
を実現させるための電子情報回覧プログラム。
【請求項７】
前記順番情報の先頭に対応づけられた利用者は、前記回覧処理の開始を行う利用者であることを特徴とする請求項６に記載の電子情報回覧プログラム。
【請求項８】
前記電子情報に対する利用者の判断の入力は、少なくとも、承認、差し戻しを含むことを特徴とする請求項６に記載の電子情報回覧プログラム。
【請求項９】
前記コンピュータに、前記電子情報に対する利用者の判断の入力を行わずに、前記電子情報に対する文字列情報の入力のみを受け付ける機能を実現させることを特徴とする請求項６に記載の電子情報回覧プログラム。
【請求項１０】
前記コンピュータに、前記電子情報に対する文字列情報に対して、アクセス権の設定を行うアクセス権設定機能を実現させることを特徴とする請求項６に記載の電子情報回覧プログラム。
【請求項１１】
前記電子情報に対する利用者の判断の入力は、該利用者が閲覧する順番である場合に入力可能になることを特徴とする請求項６に記載の電子情報回覧プログラム。
【請求項１２】
前記電子情報に対する利用者の判断の入力は、否認を含み、
否認が受け付けられた場合に、回覧処理が終了することを特徴とする請求項６に記載の電子情報回覧プログラム。
【請求項１３】
前記利用者からの表示指示に従い、表示指示に該当する前記電子情報に対する文字列情報を、表示指示に該当しない文字列情報と識別可能に表示されることを特徴とする請求項６に記載の電子情報回覧プログラム。
【手続補正２】
【補正対象書類名】明細書
【補正対象項目名】０００６
【補正方法】変更
【補正の内容】
【０００６】
本発明に係る電子情報回覧プログラムは、複数の利用者が電子情報を閲覧する順番を定めた順番情報と、閲覧する順番となっている利用者を示す作業者識別情報とを記憶した順番情報記憶手段と、電子情報に対する文字列情報を記憶した文字列情報記憶手段と、にアクセスが可能なコンピュータに、電子情報に対する文字列情報の入力を受け付ける記入領域と、電子情報に対する利用者の判断の入力を受け付ける判断指示部と、前記文字列情報記憶手段に記憶された電子情報に対する文字列情報を表示させる表示領域とを含む表示用情報を生成する表示用情報生成機能、前記作業者識別情報に示された利用者からの要求に応じて、前記表示用情報生成機能により生成された表示用情報を該要求の要求元に出力する表示用情報出力機能、前記表示用情報出力機能により前記要求元に出力された表示用情報の前記判断指示部を介して前記判断の入力を受け付けたときに処理を開始する機能であって、前記順番情報に基づいて、前記作業者識別情報を次の順番の利用者に更新する更新機能、
前記表示用情報出力機能により前記要求元に出力された表示用情報の前記判断指示部を介して前記判断の入力の受け付けに応じて、前記記入領域を介して入力を受け付けた前記文字列情報を前記文字列情報記憶手段に登録する文字列情報登録機能、を実現させる。
【手続補正３】
【補正対象書類名】明細書
【補正対象項目名】０００９
【補正方法】変更
【補正の内容】
【０００９】
また、前記判断指示部は、前記順番情報に示される順番における前の順番に該当する利用者に順番を戻す差し戻しの判断の入力を受け付ける差し戻し指示部を含み、前記更新機能は、前記表示用情報出力機能により前記要求元に出力された表示用情報の前記判断指示部を介して前記差し戻しの入力を受け付けたとき、前記作業者識別情報を前記順番情報に示される順番における前の順番に該当する利用者に更新することを特徴とする。
【手続補正４】
【補正対象書類名】明細書
【補正対象項目名】００１０
【補正方法】変更
【補正の内容】
【００１０】
本発明に係る電子情報回覧装置は、複数の利用者が電子情報を閲覧する順番を定めた順番情報と、閲覧する順番となっている利用者を示す作業者識別情報とを記憶した順番情報記憶手段と、電子情報に対する文字列情報を記憶した文字列情報記憶手段と、電子情報に対する文字列情報の入力を受け付ける記入領域と、電子情報に対する利用者の判断の入力を受け付ける判断指示部と、前記文字列情報記憶手段に記憶された電子情報に対する文字列情報を表示させる表示領域とを含む表示用情報を生成する表示用情報生成手段と、前記作業者識別情報に示された利用者からの要求に応じて、前記表示用情報生成手段により生成された表示用情報を該要求の要求元に出力する表示用情報出力手段と、前記表示用情報出力手段により前記要求元に出力された表示用情報の前記判断指示部を介して前記判断の入力を受け付けたときに処理を開始する手段であって、前記順番情報に基づいて、前記作業者識別情報を次の順番の利用者に更新する更新手段と、前記表示用情報出力手段により前記要求元に出力された表示用情報の前記判断指示部を介して前記判断の入力の受け付けに応じて、前記記入領域を介して入力を受け付けた前記文字列情報を前記文字列情報記憶手段に登録する文字列情報登録手段と、を有することを特徴とする。
本発明に係る電子情報回覧プログラムは、コンピュータに、回覧対象の電子情報を登録する登録機能、複数の利用者が前記電子情報を閲覧する順番を表す順番情報と、該順番情報に対応づけて利用者とを指定する指定機能、前記登録機能と前記指定機能を実現した後に、回覧処理の開始を受け付ける回覧処理開始機能、閲覧する順番がまわってきた利用者からの前記電子情報に対する文字列情報の入力と、前記電子情報に対する利用者の判断の入力とを受け付ける受付機能、前記複数の利用者が文字列情報の入力を行った順番で、入力された前記電子情報に対する文字列情報と、前記電子情報に対する利用者の判断と、該入力を行った利用者と、該入力を行った日時とを対応づけて表示する表示機能、を実現させる。
また、前記順番情報の先頭に対応づけられた利用者は、前記回覧処理の開始を行う利用者であることを特徴とする。
また、前記電子情報に対する利用者の判断の入力は、少なくとも、承認、差し戻しを含むことを特徴とする。
また、前記コンピュータに、前記電子情報に対する利用者の判断の入力を行わずに、前記電子情報に対する文字列情報の入力のみを受け付ける機能を実現させることを特徴とする。
また、前記コンピュータに、前記電子情報に対する文字列情報に対して、アクセス権の設定を行うアクセス権設定機能を実現させることを特徴とする。
また、前記電子情報に対する利用者の判断の入力は、該利用者が閲覧する順番である場合に入力可能になることを特徴とする。
また、前記電子情報に対する利用者の判断の入力は、否認を含み、否認が受け付けられた場合に、回覧処理が終了することを特徴とする。
また、前記利用者からの表示指示に従い、表示指示に該当する前記電子情報に対する文字列情報を、表示指示に該当しない文字列情報と識別可能に表示されることを特徴とする。